(57)【要約】【課題】ブラシ片の風合いが柔軟で、手洗いの如く、被洗浄面である車体に均一に密着して当接し、洗い残しの無い高い洗浄性が発揮されると共に、ブラシ片が含水しても軽量化を図ることができ、ブラシ片が車体に当接する際の洗浄音の静音性を有する洗車機用洗浄ブラシ、及びその洗車機用洗浄ブラシを搭載した洗車機を提供する。【解決手段】自動車あるいは車両の外面の被洗浄面に付着した汚れ等を洗浄する為の洗車機に使用する洗車機用洗浄ブラシ１において、前記洗車機用洗浄ブラシ１は、ブラシ片２及び軸体３を有し、前記ブラシ片２は前記軸体３の外周部に形成されてあると共に、少なくとも布帛を有し、前記布帛を構成する少なくとも１本の繊維は長手方向に中空部、あるいは空洞部を有するものである。【選択図】      図１
2008049762.tif 000002
【特許請求の範囲】
【請求項１】
自動車あるいは車両の外面の被洗浄面に付着した汚れ等を洗浄する為の洗車機に使用する洗車機用洗浄ブラシにおいて、前記洗車機用洗浄ブラシは、ブラシ片及び軸体を有し、前記ブラシ片は前記軸体の外周部に形成されてあると共に、少なくとも布帛を有し、前記布帛を構成する少なくとも１本の繊維は長手方向に中空部、あるいは空洞部を有することを特徴とする洗車機用洗浄ブラシ。
【請求項２】
請求項１記載の構成よりなる洗車機用洗浄ブラシにおいて、前記繊維は外周面に少なくとも一つの稜を有すると共に、長手方向に中空部、あるいは空洞部を有する異形中空断面にて形成されてあることを特徴とする洗車機用洗浄ブラシ。
【請求項３】
請求項１から２記載の構成よりなる洗車機用洗浄ブラシにおいて、前記繊維は複数の中空部を有する断面、あるいは長手方向に複数の空洞部を有することを特徴とする洗車機用洗浄ブラシ。
【請求項４】
駆動源と、被洗浄面に散布する洗浄剤及び洗浄水を噴出させるノズルと、洗浄後の被洗浄面を乾燥させる乾燥手段を備えると共に、請求項１から３のいずれか１項に記載の洗車機用洗浄ブラシを搭載した洗車機。
【発明の詳細な説明】
【技術分野】
【０００１】
本発明は、自動車あるいは車両の外面の被洗浄面に付着した汚れ等を洗浄する為の洗車機に使用する洗車機用洗浄ブラシ、及びその洗車機用洗浄ブラシを搭載した洗車機に関するものである。
【背景技術】
【０００２】
自動車あるいは車両の外面の被洗浄面に付着した汚れ等を洗浄する為の洗車機に使用する洗浄ブラシ、及びその洗浄ブラシを搭載した洗車機に関しては、使用目的に応じて、さまざまな改良がなされ、例えば、回転体にブラシを取り付けた洗車用ブラシにおいて、前記ブラシが、見掛け密度が０．２〜１ｇ／ｃｍ３で、熱圧着面積が４〜４５％で部分熱圧着され、かつ撥水度が５０以上である合成長繊維不織布からなることを特徴とする洗車用ブラシが、特許第３１９１５３４号に開示されてある。
【０００３】
また、洗車機本体と被洗浄車両とを車長方向に相対的に移動させて、ブラシ郡により被洗浄車両の洗浄を行う洗車機であって、少なくとも一部のブラシは、布製ブラシ単体とスポンジ製ブラシ単体との両方を使用して構成されていることを特徴とする洗車機が、特許第３７２２０２６号に開示されてある。
【０００４】
【特許文献１】特許第３１９１５３４号
【特許文献２】特許第３７２２０２６号
【発明の開示】
【発明が解決しようとする課題】
【０００５】
従来の洗車機用洗浄ブラシ、及びその洗浄ブラシを搭載した洗車機は、例えば、上記の如くの特徴を有する技術が開示されてあるが、特許第３１９１５３４号に開示されてある技術においては、洗車ブラシ用不織布は、部分熱圧着されているので、風合いが硬く、被洗浄面である車体にたいする密着性が劣り、車体に均一に当接することができず、洗い残しが発生する為、洗浄性が低いという課題を有していた。また、含水により、洗車ブラシ用不織布の重量が重くなると共に、洗車機の駆動源にたいする負荷が増し、洗車ブラシの回転が不安定となる為、洗車ブラシ用不織布が車体に連続的に当接することが難しくなり、洗浄音が増大するという課題も有していた。さらに、含水により、冬季に洗車ブラシ用不織布が凍結しやすくなるという課題も有していた。
【０００６】
また、特許第３７２２０２６号に開示されてある技術においては、布製ブラシが洗車中に水を含んでも、スポンジ製ブラシは独立気泡を有する合成樹脂発泡体からなり、水を含み難く、軽いので、ブラシ郡の軽量化を図ることはできるものの、布製ブラシ単体とスポンジ製ブラシ単体とが、ブラシ軸心の方向で交互に配列され、いずれかの作用半径が長く設定されているので、洗車中に車体に当接するブラシ郡の間に隙間ができ、洗い残しが発生する為、洗浄性が劣るという課題を有していた。
【０００７】
本発明は、上記従来の課題を解決するもので、ブラシ片の風合いが柔軟で、手洗いの如く、被洗浄面である車体に均一に密着して当接し、洗い残しの無い高い洗浄性が発揮されると共に、ブラシ片が含水しても軽量化を図ることができ、ブラシ片が車体に当接する際の洗浄音の静音性を有する洗車機用洗浄ブラシ、及びその洗車機用洗浄ブラシを搭載した洗車機を提供することを目的としている。
【課題を解決するための手段】
【０００８】
前記従来の課題を解決する為に、本発明の洗車機用洗浄ブラシは、自動車あるいは車両の外面の被洗浄面に付着した汚れ等を洗浄する為の洗車機に使用する洗車機用洗浄ブラシにおいて、前記洗車機用洗浄ブラシは、ブラシ片及び軸体を有し、前記ブラシ片は前記軸体の外周部に形成されてあると共に、少なくとも布帛を有し、前記布帛を構成する少なくとも１本の繊維は長手方向に中空部、あるいは空洞部を有するもので、布帛を構成する繊維は長手方向に中空部、あるいは空洞部を有する為、中実繊維のみで形成された布帛に比べ、布帛に圧力が加わった時に圧縮し、圧力が取り除かれた時に元の状態に復元する弾力性に優れている。その為、布帛は柔軟性に優れ、手洗いの如く、被洗浄面である車体に均一に密着して当接するので、洗車機用洗浄ブラシは、洗い残しの無い高い洗浄性が発揮される。
【０００９】
また、布帛を構成する繊維は長手方向に中空部、あるいは空洞部を有するので、布帛が洗車中に水を含んでも、中実繊維のみで形成された布帛に比べて軽量化を図ることができると共に、繊維の有する中空部、あるいは空洞部が、ブラシ片が車体に当接する際の洗浄音を吸収する為、洗車機用洗浄ブラシは優れた静音性を有する。
【００１０】
また、本発明の洗車機は、駆動源と、被洗浄面に散布する洗浄剤及び洗浄水を噴出させるノズルと、洗浄後の被洗浄面を乾燥させる乾燥手段を備えると共に、請求項１から３のいずれか１項に記載の洗車機用洗浄ブラシを搭載したもので、被洗浄面である車体に均一に密着して当接し、洗い残しの無い高い洗浄性を有する洗車機用洗浄ブラシが搭載されてある為、洗車機は、駆動源により洗車機用洗浄ブラシの回転を低速に設定すると共に、洗浄時間を短時間に設定した場合においても、洗い残しの無い高い洗浄性を発揮することが可能である。
【００１１】
さらに、ブラシ片は含水しても軽量化を図ることができるので、駆動源にたいする負荷が軽減され、洗車機用洗浄ブラシの回転が不安定になることが無く、ブラシ片は連続的に車体に当接することができる為、高い静音性を有する洗車機が提供される。
【発明の効果】
【００１２】
本発明の洗車機用洗浄ブラシは、ブラシ片が有する布帛を構成する繊維が、長手方向に中空部、あるいは空洞部を有する為、中実繊維のみで形成された布帛に比べ、布帛に圧力が加わった時に圧縮し、圧力が取り除かれた時に元の状態に復元する弾力性に優れている。その為、布帛は柔軟性に優れ、手洗いの如く、被洗浄面である車体に均一に密着して当接するので、洗車機用洗浄ブラシは、洗い残しの無い高い洗浄性を発揮することができる。
【００１３】
また、布帛を構成する繊維は長手方向に中空部、あるいは空洞部を有するので、布帛が洗車中に水を含んでも、中実繊維のみで形成された布帛に比べて軽量化を図ることができると共に、繊維の有する中空部、あるいは空洞部が、ブラシ片が車体に当接する際の洗浄音を吸収する為、洗車機用洗浄ブラシは優れた静音性を有することができる。
【発明を実施するための最良の形態】
【００１４】
第１の発明は、自動車あるいは車両の外面の被洗浄面に付着した汚れ等を洗浄する為の洗車機に使用する洗車機用洗浄ブラシにおいて、前記洗車機用洗浄ブラシは、ブラシ片及び軸体を有し、前記ブラシ片は前記軸体の外周部に形成されてあると共に、少なくとも布帛を有し、前記布帛を構成する少なくとも１本の繊維は長手方向に中空部、あるいは空洞部を有するもので、布帛を構成する繊維は長手方向に中空部、あるいは空洞部を有する為、中実繊維のみで形成された布帛に比べ、布帛に圧力が加わった時に圧縮し、圧力が取り除かれた時に元の状態に復元する弾力性に優れている。その為、布帛は柔軟性に優れ、手洗いの如く、被洗浄面である車体に均一に密着して当接するので、洗車機用洗浄ブラシは、洗い残しの無い高い洗浄性を発揮することができる。
【００１５】
また、布帛を構成する繊維は長手方向に中空部、あるいは空洞部を有するので、布帛が洗車中に水を含んでも、中実繊維のみで形成された布帛に比べて軽量化を図ることができると共に、繊維の有する中空部、あるいは空洞部が、ブラシ片が車体に当接する際の洗浄音を吸収する為、洗車機用洗浄ブラシは優れた静音性を有することができる。
【００１６】
第２の発明は、特に、第１の発明の洗車機用洗浄ブラシにおいて、前記繊維は外周面に少なくとも一つの稜を有すると共に、長手方向に中空部、あるいは空洞部を有する異形中空断面にて形成されてあるもので、繊維の有する角部により、車体に付着している汚れが掻き出される為、洗浄性が向上する。
【００１７】
第３の発明は、特に、第１から第２の発明の洗車機用洗浄ブラシにおいて、前記繊維は複数の中空部を有する断面、あるいは長手方向に複数の空洞部を有するもので、布帛の柔軟性が向上し、ブラシ片は車体に一層、均一に密着して当接する為、洗浄性が大幅に向上する。
【００１８】
また、中空部、あるいは空洞部を有する単一な繊維が、複数本、長手方向の外面に沿って接合された形態の繊維においては、繊維の毛腰が単一な繊維に比べて強くなる為、布帛の毛腰も強くなり、ブラシ片は毛腰を強く設定して車体に当接することができるので、洗浄性が飛躍的に向上する。さらに、長手方向に沿って形成された凹部が流通路となり、洗車中にブラシ片が含んだ水を毛細管現象により運び、水は広い面積に広げられ、迅速に蒸発する為、布帛は速乾性を発揮することができるので、冬季にブラシ片が凍結することを、防止することができる。
【００１９】
第４の発明は、駆動源と、被洗浄面に散布する洗浄剤及び洗浄水を噴出させるノズルと、洗浄後の被洗浄面を乾燥させる乾燥手段を備えると共に、第１の発明から第３の発明のいずれか１項に記載の洗車機用洗浄ブラシを搭載した洗車機としたもので、被洗浄面である車体に均一に密着して当接し、洗い残しの無い高い洗浄性を有する洗車機用洗浄ブラシが搭載されてある為、洗車機は、駆動源により洗車機用洗浄ブラシの回転を低速に設定すると共に、洗浄時間を短時間に設定した場合においても、洗い残しの無い高い洗浄性を発揮することができる。
【００２０】
また、ブラシ片は含水しても軽量化を図ることができるので、駆動源にたいする負荷が軽減され、洗車機用洗浄ブラシの回転が不安定になることが無く、ブラシ片は連続的に車体に当接することができる為、高い静音性を有する洗車機を提供することができる。
【００２１】
以下、本発明の実施の形態について図面を参照しながら説明する。なお、この実施の形態により本発明が限定されるものではない。
【００２２】
（実施例１）
図１（Ａ）は、本発明の洗車機用洗浄ブラシを前面側から見た斜視図、図１（Ｂ）は、図１（Ａ）の断面図、図２（Ａ）は、ブラシ片を展開して前面側から見た斜視図、図２（Ｂ）及び図２（Ｃ）は、繊維を前面側から見た斜視図、図３（Ａ）から図３（Ｅ）は、他の実施の形態における繊維の断面図、図４（Ａ）から図４（Ｅ）は、他の実施の形態における繊維の断面図、図４（Ｆ）は、他の実施の形態における繊維を前面側から見た斜視図、図５（Ａ）は、他の実施の形態における洗車機用洗浄ブラシを前面側から見た斜視図、図５（Ｂ）は、チャンネルブラシの断面図である。
【００２３】
図１（Ａ）、図１（Ｂ）、及び図２（Ａ）において、洗車機用洗浄ブラシ１は、平板状の布帛７の略中央部にて折り合わされたブラシ片２が、アルミニウム等の金属材料からなる略円筒形状の軸体３の外周等分４箇所に設けられた突起状の溝部４に挿入され、リベット６がブラシ片２に設けられた取付孔９に挿入されると同時にリベッター等により打ち込まれ、ブラシ片２はリベット６により軸体３に固定され、形成されてある。なお、軸体３の外周面に設けられた溝部４は、等分４箇所以外にも、６箇所、８箇所、１２箇所等、使用目的に応じて、適時、設定できる。
【００２４】
次に、図２（Ａ）を用いて、ブラシ片２について説明する。ブラシ片２は、繊維８を有する平板状の布帛７が使用されてある。布帛７は、繊維８を３次元に立体的に絡合させた不織布、繊維８を縦糸と横糸に組み合わせて平織り、斜文織り、繻子織り、絡み織り等により織りこんだ織布、１本の繊維８を編みこんだ編物を採用できる。なお、実施例１の布帛７は不織布にて形成されてあるが、織布、あるいは編物を単独、あるいは併用して用いてもよい。また、布帛７と他のブラシ部材、例えば、合成樹脂繊維、フィルム状樹脂組成物、合成樹脂発泡体等を接合、重ね合わせ等の方法を用いて併用し、ブラシ片２を形成しても構わない。
【００２５】
不織布は、繊維８をウレタン系、ニトリル系、スチレン系、アクリル系等のバインダーを用いて接着して絡合させるケミカルボンド法、繊維８に高圧水流をあてて絡合させる水流絡合法、繊維８を加熱ロールにて熱圧着させて絡合させるスパンボンド法、繊維８に高温エアーを吹き付けて熱融着させて絡合させるメルトブロー法等により製造され、従来から不織布の製造に用いられている方法なら限定されることなく、得られた不織布をブラシ片２として用いることができる。また、繊維８は長繊維、短繊維のいずれが使用されても構わない。なお、長繊維とは一般的に糸長が５０ｍｍより大の繊維８のことであり、短繊維とは糸長が５０ｍｍ以下の繊維８のことである。また、繊維８は原糸繊維、極細繊維のいずれであってもよい。なお、原糸繊維とは繊度が１デニール以上の繊維８のことであり、極細繊維とは繊度が１デニール未満の繊維８のことで、１デニールとは糸長９０００ｍで１ｇとなる繊維８のことである。
【００２６】
次に、図２（Ｂ）、及び図２（Ｃ）を用いて、繊維８について説明する。図２（Ｂ）において、繊維８は、長手方向に中空部１０を有すると共に、中空部１０は繊維８の一方の端部から他の端部に向かって空隙が貫通し、繊維８は概丸形中空断面を有する。また、図２（Ｃ）において、繊維８は、長手方向に空洞部１１を有すると共に、空洞部１１は繊維８の一方の端部から他の端部に向かって繊維８の途中で空隙が閉塞し、繊維８は概丸形中空断面、あるいは概丸形断面を有する。
【００２７】
繊維８は、合成繊維であり、ポリエチレン、ポリプロピレン、ポリスチレン等のポリオレフィン系樹脂、ポリエチレンテレフタレート、ポリブチレンテレフタレート、ポリトリメチレンテレフタレート等のポリエステル系樹脂、ナイロン６、ナイロン６６、ナイロン６１０、ナイロン６１２等のポリアミド系樹脂、ウレタン樹脂、アクリル樹脂、シリコーン樹脂、フッ素樹脂等の合成樹脂を溶融紡糸して得られる。また、芯鞘構造の複合繊維を紡糸し、加熱、薬品処理等を施すことにより、芯部を溶出して中空部１０、あるいは空洞部１１を有する繊維８を形成することもできる。さらに、中空部１０、あるいは空洞部１１の壁面にスリット状の超微細孔を設けて繊維８を形成してもよい。前記の如くの超微細孔が設けられた繊維８は、一般的には中空糸膜と呼ばれている。得られた繊維８は、不織布、織布、あるいは編物として布帛７に形成され、ブラシ片２として用いられる。また、中空部１０、あるいは空洞部１１が形成されていない中実状の合成繊維、綿、麻、絹、羊毛等の天然繊維、レーヨン、キュプラ、アセテート、プロミックス等の半合成繊維と、繊維８を併用して、布帛７を形成し、ブラシ片２として用いることもできる。
【００２８】
繊維８に占める中空部１０、あるいは空洞部１１の中空率、あるいは空洞率は５〜９５％にて設定される。中空率、あるいは空洞率が５％未満の場合は、布帛７の軽量化を図ることが難しくなり、中空率、あるいは空洞率が９５％より大の場合は、繊維８の肉厚が薄くなり、衝撃等により繊維８が切れやすくなるので、布帛７の耐摩耗性が劣ることになる。布帛７が軽量性、及び耐摩耗性を兼ね備え、ブラシ片２として、より好適に使用されるには、繊維８の中空率、あるいは空洞率は２０〜５０％に設定されるのが好ましい。
【００２９】
上記の如くの構成となっている洗車機用洗浄ブラシ１の動作、作用は下記の通りである。
【００３０】
洗車機用洗浄ブラシ１は、ブラシ片２を構成する布帛７が、中空部１０、あるいは空洞部１１を有する繊維８にて形成されているので、ブラシ片２は布帛７に圧力が加わった時に圧縮し、圧力が取り除かれた時に元の状態に復元する弾力性に優れている。その為、ブラシ片２を構成する布帛７は柔軟性に優れ、手洗いの如く、被洗浄面である車体に面接触にて均一に密着して当接するので、洗車機用洗浄ブラシ１は、洗い残しの無い高い洗浄性が発揮される。
【００３１】
また、布帛７を構成する繊維８は長手方向に中空部１０、あるいは空洞部１１を有するので、布帛７が洗車中に水を含んでも、中実繊維のみで形成された布帛に比べて軽量化を図ることができると共に、繊維８の有する中空部１０、あるいは空洞部１１が、ブラシ片２が車体に当接する際の洗浄音を吸収する為、洗車機用洗浄ブラシ１は優れた静音性を有する。
【００３２】
次に、布帛７を構成する繊維８の他の実施の形態について、図３、及び図４を用いて説明する。
【００３３】
繊維８は概丸形中空断面を有するよう形成されているが、図３（Ａ）の如くの四角形中空断面を有する繊維１８、図３（Ｂ）の如くの三角形中空断面を有する繊維２８、図３（Ｃ）の如くの概星形中空断面を有する繊維３８、図３（Ｄ）の如くの概雫状中空断面を有する繊維４８等を用いて、布帛７を形成し、ブラシ片２として使用してもよい。中空部２０、３０、４０、５０の形状は、繊維１８、２８、３８、４８の外形と略同一であっても構わないし、図３（Ｅ）の如く、中空部６０は概丸形で、繊維５８の外形は四角形を有する等、中空部６０の形状と、繊維５８の外形が異なるように形成しても構わない。また、前記以外にも、十字形中空断面、卍形中空断面、Ｍ形中空断面、菱形中空断面、Ｙ形中空断面等の異形中空断面を有する繊維を単独、あるいは併用して布帛７を形成し、ブラシ片２として用いることができる。
【００３４】
異形中空断面を有する繊維１８、２８、３８、４８、５８により布帛７を形成し、ブラシ片２として用いた場合、繊維１８、２８、３８、４８、５８の有する角部１９、２９、３９、４９、５９により、車体に付着している汚れが掻き出される為、洗車機用洗浄ブラシ１の洗浄性が向上する。
【００３５】
また、図４（Ａ）の如く、複数の中空部７０を有する繊維６８を使用して、布帛７を形成し、ブラシ片２として用いてもよい。前記の如くのブラシ片２を用いた場合においては、布帛７の柔軟性が向上し、ブラシ片２は車体に一層、均一に密着して当接する為、洗車機用洗浄ブラシ１の洗浄性が大幅に向上する。
【００３６】
さらに、図４（Ｂ）、図４（Ｃ）、図４（Ｄ）、図４（Ｅ）、及び図４（Ｆ）に示すように、中空部８０、９０、１００、１１０、１２０、あるいは空洞部１２１を有する単一な繊維が、複数本、長手方向の外面に沿って接合された形態の繊維７８、８８、９８、１０８、１１８を使用して、布帛７を形成し、ブラシ片２として用いてもよい。図４（Ｂ）において、繊維７８は概丸形の中空部８０を複数有する形態である。図４（Ｃ）において、繊維８８は四角形の中空部９０を複数有する形態である。図４（Ｄ）において、繊維９８は概丸形の中空部１００と四角形の中空部１１０を有する形態である。図４（Ｅ）において、繊維１０８は複数の概丸形の中空部１２０を有する単一な繊維が、複数本、長手方向の外面に沿って接合された形態である。図４（Ｆ）において、繊維１１８は概丸形の空洞部１２１を複数有する形態である。
【００３７】
繊維７８、８８、９８、１０８、１１８は紡糸口から合成樹脂を溶融紡糸して、前記の如くの形態に形成してもよいし、中空部８０、９０、１００、１１０、１２０、あるいは空洞部１２１を有する単一な繊維を複数本用意して、加熱、薬品処理等の方法を用いて、単一な繊維の外面を溶融して接合しても得ることができる。
【００３８】
また、接合される単一な繊維の本数、断面形状、外径、中空部８０、９０、１００、１１０、１２０、あるいは空洞部１２１の数、形状、外径、１本の繊維７８、８８、９８、１０８、１１８における中空部８０、９０、１００、１１０、１２０と空洞部１２１の併用等の各種条件は、特に限定されるものではなく、使用目的に応じて、自由に組み合わせて、設定することができる。
【００３９】
前記の如くの中空部８０、９０、１００、１１０、１２０、あるいは空洞部１２１を有する単一な繊維が、複数本、長手方向の外面に沿って接合された形態の繊維７８、８８、９８、１０８、１１８を使用して布帛７を形成し、ブラシ片２として用いた場合においては、繊維７８、８８、９８、１０８、１１８の毛腰が単一な繊維に比べて強くなる為、布帛７の毛腰も強くなり、ブラシ片２は毛腰を強く設定して車体に当接することができるので、洗車機用洗浄ブラシ１の洗浄性が飛躍的に向上する。
【００４０】
また、繊維７８、８８、９８、１０８、１１８の長手方向に沿って形成された凹部７７、８７、９７、１０７、１１７が流通路となり、洗車中にブラシ片２が含んだ水を毛細管現象により運び、水は広い面積に広げられ、迅速に蒸発する為、布帛７は速乾性を発揮することができるので、冬季にブラシ片２が凍結することを、防止することができる。
【００４１】
なお、繊維８、１８、２８、３８、４８、５８、６８、７８、８８、９８、１０８、１１８は、単独で使用して布帛７を形成してもよいし、併用して布帛７を形成してもよい。また、繊維８、１８、２８、３８、４８、５８、６８、７８、８８、９８、１０８、１１８と、中実状の合成繊維、天然繊維、半合成繊維とを併用して布帛７を形成し、ブラシ片２として用いても何ら支障は無い。
【００４２】
次に、図５を用いて、他の実施の形態における洗車機用洗浄ブラシ２１について説明する。
【００４３】
図５（Ａ）、及び図５（Ｂ）において、洗車機用洗浄ブラシ２１は、アルミニウム等の金属材料からなる芯線２６と帯状体２７に、ブラシ片２が挟み付けられて形成されたチャンネルブラシ２４が、アルミニウム等の金属材料、あるいは塩化ビニル等の合成樹脂からなる略円筒形状の軸体２３の外周面に螺旋状に巻き付けられ、チャンネルブラシ２４の両端部が止め金具２５にて固定して形成されてある。
【００４４】
洗車機用洗浄ブラシ２１は、軸体２３に螺旋状に巻き付けられたチャンネルブラシ２４の巻き付け間隔を調整することにより、ブラシ片２が被洗浄面である車体にさまざまな当接をする。例えば、巻き付け間隔が狭い場合には、ブラシ片２は軸体２３の軸心の垂線にたいする傾斜角度が小さくなると共に、ブラシ片２の使用枚数が多くなるので、ブラシ片２は連続的に車体に当接することができ、洗車機用洗浄ブラシ２１は高い洗浄性と静音性を発揮することができる。好適な傾斜角度は４５°未満であり、さらに好適には３０°〜５°である。また、巻き付け間隔が広い場合には、ブラシ片２は軸体２３の軸心の垂線にたいする傾斜角度が大きくなると共に、ブラシ片２の使用枚数が少なくなるので、一片のブラシ片２が車体に当接する際の接触面積を広く確保することができる。好適な傾斜角度は４５°以上であり、さらに好適には４５〜６０°である。また、洗車機用洗浄ブラシ２１のコスト低減を図ることもできる。
【００４５】
なお、洗車機用洗浄ブラシ１、２１の構造に関しては、特に限定されるものではなく、使用目的に応じて、適時、設定することができる。また、ブラシ片２は布帛７が使用されてあるが、繊維８を多数本、積層して配列の上、芯線２６、及び帯状体２７にて挟み込んでチャンネルブラシ２４を形成してもよい。
【００４６】
（実施例２）
図６は、本発明の洗車機用洗浄ブラシが搭載されてある洗車機の正面図である。
【００４７】
図６において、洗車機３１は、本発明の洗車機用洗浄ブラシ１が搭載されてあり、洗車機用洗浄ブラシ１は駆動源３２により回転駆動される。ノズル３３からは、被洗浄面である車体にたいして、洗浄剤、及び洗浄水等が散布され、洗車機用洗浄ブラシ１により、車体に付着している汚れが除去され、洗浄後は洗車機３１の乾燥手段である乾燥機３４により車体が乾燥される。
【００４８】
洗車機３１は、車体に均一に密着して当接し、洗い残しの無い高い洗浄性を有する洗車機用洗浄ブラシ１が搭載されてある為、駆動源３２により洗車機用洗浄ブラシ１の回転を低速に設定すると共に、洗浄時間を短時間に設定した場合においても、洗い残しの無い高い洗浄性を発揮することができる。
【００４９】
また、前記実施例１に示した図１（Ａ）の如く、洗車機用洗浄ブラシ１に形成されたブラシ片２は含水しても軽量化を図ることができるので、駆動源３２にたいする負荷が軽減され、洗車機用洗浄ブラシ１の回転が不安定になることが無く、ブラシ片２は連続的に車体に当接することができる為、高い静音性を有する洗車機３１を提供することができる。
【産業上の利用可能性】
【００５０】
本発明の洗車機用洗浄ブラシは、主に、自動車あるいは車両の外面の被洗浄面に付着した汚れ等を洗浄する為の洗車機に搭載する洗車機用洗浄ブラシとして使用する。
【図面の簡単な説明】
【００５１】
【図１】（Ａ）本発明の洗車機用洗浄ブラシを前面側から見た斜視図、（Ｂ）図１（Ａ）の断面図
【図２】（Ａ）ブラシ片を展開して前面側から見た斜視図、（Ｂ）繊維を前面側から見た斜視図、（Ｃ）繊維を前面側から見た斜視図
【図３】（Ａ）他の実施の形態における繊維の断面図、（Ｂ）他の実施の形態における繊維の断面図、（Ｃ）他の実施の形態における繊維の断面図、（Ｄ）他の実施の形態における繊維の断面図、（Ｅ）他の実施の形態における繊維の断面図
【図４】（Ａ）他の実施の形態における繊維の断面図、（Ｂ）他の実施の形態における繊維の断面図、（Ｃ）他の実施の形態における繊維の断面図、（Ｄ）他の実施の形態における繊維の断面図、（Ｅ）他の実施の形態における繊維の断面図、（Ｆ）他の実施の形態における繊維を前面側から見た斜視図
【図５】（Ａ）他の実施の形態における洗車機用洗浄ブラシを前面側から見た斜視図、（Ｂ）チャンネルブラシの断面図
【図６】本発明の洗車機用洗浄ブラシが搭載されてある洗車機の正面図
【符号の説明】
【００５２】
１、２１  洗車機用洗浄ブラシ
２  ブラシ片
３、２３  軸体
４  溝部
６  リベット
７  布帛
８、１８、２８、３８、４８、５８、６８、７８、８８、９８、１０８、１１８  繊維
９  取付孔
１０、２０、３０、４０、５０、６０、７０、８０、９０、１００、１１０、１２０  中空部
１１、１２１  空洞部
１９、２９、３９、４９、５９  角部
２４  チャンネルブラシ
２５  止め金具
２６  芯線
２７  帯状体
３１  洗車機
３２  駆動源
３３  ノズル
３４  乾燥機
７７、８７、９７、１０７、１１７  凹部
【図１】
2008049762.tif 000003
【図２】
2008049762.tif 000004
【図３】
2008049762.tif 000005
【図４】
2008049762.tif 000006
【図５】
2008049762.tif 000007
【図６】
2008049762.tif 000008